【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
撮像された被写体画像に基づき撮影シーンを判定する判定手段と、
撮影条件に関するグラフを表示するとともに、前記判定手段により判定された撮影シーンに対応する撮影条件に対応する前記グラフ上の位置に、所定の識別子を表示する表示手段と、
を備えることを特徴とするカメラ。
【請求項２】
前記所定の識別子は、前記判定手段により判定された撮影シーンに対応する撮影モードアイコンであり、
前記表示手段は、前記判定手段により判定された撮影シーン以外の撮影シーンに対応する撮影モードアイコンをも、前記グラフ上において対応する位置に表示するとともに、前記判定手段により判定された撮影シーンに対応する撮影モードアイコンと、前記判定された撮影シーン以外の撮影シーンに対応する撮影モードアイコンとを異なる表示形態で表示することを特徴とする請求項１記載のカメラ。
【請求項３】
前記表示手段は、ユーザの操作に応じて前記所定の識別子を前記グラフ上で移動させる操作手段を備え、
この操作手段の動作に基づき、前記判定手段により判定された撮影シーンに対応する撮影条件を調整するマニュアル調整手段を備えることを特徴とする請求項１または２に記載のカメラ。
【請求項４】
前記操作手段により移動させた前記所定の識別子の前記グラフ上における位置を検出する位置検出手段を備え、
前記マニュアル調整手段は、前記位置検出手段により検出された前記グラフ上における位置に基づき、前記判定手段により判定された撮影シーンに対応する撮影条件を調整することを特徴とする請求項３記載のカメラ。
【請求項５】
前記マニュアル調整手段により調整された撮影条件に基づき、前記撮像された被写体画像に対して画像処理を施す画像処理手段を備え、
前記表示手段は、前記画像処理手段により画像処理が施された被写体画像をスルー画像として、前記グラフに重畳させて表示することを特徴とする請求項３記載のカメラ。
【請求項６】
ユーザの撮影準備動作の開始を検出する動作検出手段を備え、
前記表示手段は、前記動作検出手段によりユーザの撮影準備動作の開始が検出されると、前記グラフの表示を消去することを特徴とする請求項５記載のカメラ。
【請求項７】
前記グラフは、２次元グラフであり、
前記表示手段は、前記２次元グラフに、前記識別子上で直交する縦線と横線とを更に表示することを特徴とする請求項１から６にいずれか記載のカメラ。
【請求項８】
前記マニュアル調整手段により調整された撮影条件、又は前記判定手段により判定された撮影シーンに応じた撮影条件で撮影を実行する撮影手段を備えることを特徴とする請求項３から７にいずれか記載のカメラ。
【請求項９】
カメラが有するコンピュータを、
撮像された被写体画像に基づき撮影シーンを判定する判定手段と、
撮影条件に関するグラフを表示するとともに、前記判定手段により判定された撮影シーンに対応する撮影条件に対応する前記グラフ上の位置に、所定の識別子を表示させる表示制御手段と、
して機能させることを特徴とするカメラ制御プログラム。
【請求項１０】
撮像された被写体画像に基づき撮影シーンを判定する判定ステップと、
撮影条件に関するグラフを表示するとともに、前記判定ステップにより判定された撮影シーンに対応する撮影条件に対応する前記グラフ上の位置に、所定の識別子を表示する表示ステップと、
を含むことを特徴とするカメラ制御方法。
【手続補正２】
【補正対象書類名】明細書
【補正対象項目名】０００５
【補正方法】変更
【補正の内容】
【０００５】
前記課題を解決するために請求項１記載の発明に係るカメラにあっては、撮像された被写体画像に基づき撮影シーンを判定する判定手段と、撮影条件に関するグラフを表示するとともに、前記判定手段により判定された撮影シーンに対応する撮影条件に対応する前記グラフ上の位置に、所定の識別子を表示する表示手段と、を備えることを特徴とする。
【手続補正３】
【補正対象書類名】明細書
【補正対象項目名】０００６
【補正方法】変更
【補正の内容】
【０００６】
また、請求項２記載の発明に係るカメラにあっては、前記所定の識別子は、前記判定手段により判定された撮影シーンに対応する撮影モードアイコンであり、前記表示手段は、前記判定手段により判定された撮影シーン以外の撮影シーンに対応する撮影モードアイコンをも、前記グラフ上において対応する位置に表示するとともに、前記判定手段により判定された撮影シーンに対応する撮影モードアイコンと、前記判定された撮影シーン以外の撮影シーンに対応する撮影モードアイコンとを異なる表示形態で表示することを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
また、請求項３記載の発明に係るカメラにあっては、前記表示手段は、ユーザの操作に応じて前記所定の識別子を前記グラフ上で移動させる操作手段を備え、この操作手段の動作に基づき、前記判定手段により判定された撮影シーンに対応する撮影条件を調整するマニュアル調整手段を備えることを特徴とする。
【手続補正７】
【補正対象書類名】明細書
【補正対象項目名】００１０
【補正方法】変更
【補正の内容】
【００１０】
また、請求項４記載の発明に係るカメラにあっては、前記操作手段により移動させた前記所定の識別子の前記グラフ上における位置を検出する位置検出手段を備え、前記マニュアル調整手段は、前記位置検出手段により検出された前記グラフ上における位置に基づき、前記判定手段により判定された撮影シーンに対応する撮影条件を調整することを特徴とする。
【手続補正８】
【補正対象書類名】明細書
【補正対象項目名】００１１
【補正方法】変更
【補正の内容】
【００１１】
また、請求項５記載の発明に係るカメラにあっては、前記マニュアル調整手段により調整された撮影条件に基づき、前記撮像された被写体画像に対して画像処理を施す画像処理手段を備え、前記表示手段は、前記画像処理手段により画像処理が施された被写体画像をスルー画像として、前記グラフに重畳させて表示することを特徴とする。
また、請求項６記載の発明に係るカメラにあっては、ユーザの撮影準備動作の開始を検出する動作検出手段を備え、前記表示手段は、前記動作検出手段によりユーザの撮影準備動作の開始が検出されると、前記グラフの表示を消去することを特徴とする。
【手続補正９】
【補正対象書類名】明細書
【補正対象項目名】００１２
【補正方法】変更
【補正の内容】
【００１２】
また、請求項７記載の発明に係るカメラにあっては、前記グラフは、２次元グラフであり、前記表示手段は、前記２次元グラフに、前記識別子上で直交する縦線と横線とを更に表示することを特徴とする。
【手続補正１０】
【補正対象書類名】明細書
【補正対象項目名】００１３
【補正方法】変更
【補正の内容】
【００１３】
また、請求項８記載の発明に係るカメラにあっては、前記マニュアル調整手段により調整された撮影条件、又は前記判定手段により判定された撮影シーンに応じた撮影条件で撮影を実行する撮影手段を備えることを特徴とする。
【手続補正１１】
【補正対象書類名】明細書
【補正対象項目名】００１４
【補正方法】変更
【補正の内容】
【００１４】
また、請求項９記載の発明に係るカメラ制御プログラムにあっては、カメラが有するコンピュータを、撮像された被写体画像に基づき撮影シーンを判定する判定手段と、撮影条件に関するグラフを表示するとともに、前記判定手段により判定された撮影シーンに対応する撮影条件に対応する前記グラフ上の位置に、所定の識別子を表示させる表示制御手段と、して機能させることを特徴とする。
【手続補正１２】
【補正対象書類名】明細書
【補正対象項目名】００１５
【補正方法】変更
【補正の内容】
【００１５】
また、請求項１０記載の発明に係るカメラ制御方法にあっては、撮像された被写体画像に基づき撮影シーンを判定する判定ステップと、撮影条件に関するグラフを表示するとともに、前記判定ステップにより判定された撮影シーンに対応する撮影条件に対応する前記グラフ上の位置に、所定の識別子を表示する表示ステップと、を含むことを特徴とする。
【手続補正１３】
【補正対象書類名】明細書
【補正対象項目名】００２５
【補正方法】変更
【補正の内容】
【００２５】
また、制御部２２は撮影指示に応じて、本撮影処理を実行する。この本撮影処理においては、制御部２２は、キー入力部３０に含まれるシャッターキーの操作をトリガとして、ＣＣＤ１３、垂直ドライバ１５、サンプルホールド回路１６、カラープロセス回路１８、ＤＭＡコントローラ１９に対してスルー画撮影モードから静止画撮影モードへの切り替えを指示し、この静止画撮影モードによる撮影処理により得られた画像データをＤＲＡＭ２１に一時記憶する。
【手続補正１４】
【補正対象書類名】明細書
【補正対象項目名】００２７
【補正方法】変更
【補正の内容】
【００２７】
また、基本モードである再生モード時には、制御部２２が保存メモリ２８に記録されている画像データを選択的に読み出し、ＪＰＥＧ回路２７で撮影モード時にデータ圧縮した手順と全く逆の手順で圧縮されている画像データを伸張し、伸張した画像データを、ＶＲＡＭコントローラ２３を介してＶＲＡＭ２４に展開して記憶させた上で、このＶＲＡＭ２４から定期的に読み出し、これらの画像データを元にしてデジタルビデオエンコーダ２５でビデオ信号を生成して表示部２６で再生出力させる。
【手続補正１５】
【補正対象書類名】明細書
【補正対象項目名】００２９
【補正方法】変更
【補正の内容】
【００２９】
なお、後述のオート設定パラメータにおける「フォーカス制御」は、ＡＦ駆動部１１−２がフォーカスレンズ１２−２を駆動する制御であり、「絞り」は、絞り駆動部３３が絞り３２を駆動する制御である。また、「ＥＶシフト量」は、絞り３２とシャッター速度との組み合わせに応じて，露出する光量をあらわす値の変化値であり、「感度」は、ＣＣＤ１３に対するゲインアップにより感度を上げる処理であり、「シャッター速度」は、前記ＣＣＤ１３の電荷蓄積時間である。
【手続補正１６】
【補正対象書類名】明細書
【補正対象項目名】００３８
【補正方法】変更
【補正の内容】
【００３８】
次に、パラメータに関する軸を設定したグラフを前記スルー画像に重畳させて、表示部２６に表示させる（ステップＳ４）。このステップＳ４の処理で表示されるグラフは、デフォルトの状態においては、縦軸に「絞り」、横軸に「シャッター速度」が設定された二次元グラフである。したがって、図４に示すように、先ず縦軸に「絞り」、横軸に「シャッター速度」が設定されたグラフ２６１がスルー画像（図示せず）に重畳して表示される。
【手続補正１７】
【補正対象書類名】明細書
【補正対象項目名】００３９
【補正方法】変更
【補正の内容】
【００３９】
引き続き、この表示されたグラフ２６１上であって、対応する値の位置に前記ステップＳ２で判定された撮影シーンのアイコン（以下、当該シーンアイコンという）を表示する（ステップＳ５）。したがって、前記ステップＳ２で判定された撮影シーンが「風景」であったとすると、図４に示すように、撮影シーンが「風景」においてパラメータとして記憶されている絞り値とシャッター速度とに対応するグラフ２６１上の位置に、風景アイコン２６２が表示される。このとき、図示のようにグラフ２６１には、風景アイコン２６２上で直交する縦線２６３と横線２６４とを表示する。
【手続補正１８】
【補正対象書類名】明細書
【補正対象項目名】００４０
【補正方法】変更
【補正の内容】
【００４０】
この表示された縦線２６３と横線２６４とにより、ユーザは風景アイコン２６２の位置が示す値が、判定された撮影シーンにおける絞り値とシャッター速度であることを明確に認識することができる。
【手続補正１９】
【補正対象書類名】明細書
【補正対象項目名】００４１
【補正方法】変更
【補正の内容】
【００４１】
なお、このように縦線２６３と横線２６４を表示することなく、当該シーンアイコン２６２のみを、後述する他のアイコン２６５〜２６８と異なる表示形態とすることにより、アイコン２６２が当該シーンアイコンであることを明示するようにしてもよい。また、他のアイコン２６５〜２６８を表示させることなく、当該シーンアイコン２６２のみをグラフ上に表示させるようにしてもよい。この場合、当該シーンアイコン２６２に代えて、判定された撮影シーンとは無関係の識別子（数字、記号、図形、マーク等）を表示させるようにしてもよい。
【手続補正２０】
【補正対象書類名】明細書
【補正対象項目名】００４３
【補正方法】変更
【補正の内容】
【００４３】
したがって、ユーザはこれら他の撮影シーンのアイコン２６５〜２６８のグラフ２６１における位置を確認することにより、判定された撮影シーンのパラメータと他の撮影シーンのパラメータとの差異を認識したり、学習することができる。
【手続補正２１】
【補正対象書類名】明細書
【補正対象項目名】００４８
【補正方法】変更
【補正の内容】
【００４８】
そして、次のスルー画像ソフト処理により、前記画像処理ソフトを用いてスルー画像に対し、前記制御部２２内のＲＡＭに記憶されたパラメータを擬似的に実現する画像処理を実行する（ステップＳ１１）。したがって、前述したユーザの指Ｆによる当該シーンアイコン２６２の移動操作があった場合には、ステップＳ１０で更新されたパラメータで擬似的に本撮影した特性を有するスルー画像が表示部２６に表示されることとなる。
【手続補正２２】
【補正対象書類名】明細書
【補正対象項目名】００５０
【補正方法】変更
【補正の内容】
【００５０】
しかし、当該シーンアイコン２６２に対するタッチが全くない場合には、前記ステップＳ１０の処理が実行されないことから、制御部２２内のＲＡＭに保存されたパラメータは、更新されることなく、ステップＳ３で記憶したままの状態に維持されることになる。よって、この場合には、オート設定されたパラメータで擬似的に本撮影した特性を有するスルー画像が表示部２６に表示されることとなる。
【手続補正２３】
【補正対象書類名】明細書
【補正対象項目名】００５２
【補正方法】変更
【補正の内容】
【００５２】
また、クリアキーが操作されない場合には、キー入力部３０にてグラフ変更操作がなされたか否かを判断する（ステップＳ１３）。グラフ変更操作がなされた場合には、ステップＳ４に戻り、他のパラメータを設定したグラフを前記スルー画像に重畳させて、表示部２６に表示させる。
【手続補正２４】
【補正対象書類名】明細書
【補正対象項目名】００５３
【補正方法】変更
【補正の内容】
【００５３】
ここで、他のパラメータを設定したグラフは、図８及び図９に例示したように、パラメータによって異なる。すなわち、図８は、パラメータがホワイトバランスである場合のグラフ例を示す図である。図示のように、円環部２６９の均等位置に「Ｒ（赤）」、「Ｇ（緑）」、「Ｂ（青）」の文字を表示するとともに、円環部２６９内の円部に表示した当該シーンアイコン２６２の位置により、判定された撮影シーンのホワイトバランスを示す。
【手続補正２５】
【補正対象書類名】明細書
【補正対象項目名】００５４
【補正方法】変更
【補正の内容】
【００５４】
図９は、例えば互いに異なる複数のパラメータをそれぞれ個別に棒グラフ表示する例であり、各々の棒グラフ上における当該シーンアイコン２６２により、各パラメータの値を示す。
【手続補正２６】
【補正対象書類名】明細書
【補正対象項目名】００５９
【補正方法】変更
【補正の内容】
【００５９】
そして、シャッターキーが全押しされたならば、ステップＳ１７からステップＳ１９に進んで、前述した本撮影処理を実行する。つまり、制御部２２は、シャッターキーの操作をトリガとして、スルー画撮影モードから静止画撮影モードへの切り替えを指示し、この静止画撮影モードにおいて制御部２２のＲＡＭに記憶されているパラメータで撮影処理し、この撮影処理により得られた画像データをＤＲＡＭ２１に一時記憶した後、保存メモリ２８に記録する（ステップＳ１９）。
【手続補正２７】
【補正対象書類名】明細書
【補正対象項目名】００６０
【補正方法】変更
【補正の内容】
【００６０】
このとき、ユーザが１度でも当該シーンアイコン２６２にタッチして移動させた後にシャッターキーを全押し操作した場合には、前記ステップＳ１０で制御部２２内のＲＡＭに更新保存されたパラメータを撮影条件として、前述した本撮影処理を実行することになる。つまり、制御部２２は、シャッターキーの操作をトリガとして、スルー画撮影モードから静止画撮影モードへの切り替えを指示し、この静止画撮影モードにおいて前記ステップＳ１０で制御部２２のＲＡＭに更新記憶されているパラメータで撮影処理し、この撮影処理により得られた画像データをＤＲＡＭ２１に一時記憶した後、保存メモリ２８に記録することになる（ステップＳ１８）。
【手続補正２８】
【補正対象書類名】明細書
【補正対象項目名】００６２
【補正方法】変更
【補正の内容】
【００６２】
しかし、ユーザが１度も当該シーンアイコン２６２にタッチして移動させることなく、シャッターキーを全押し操作した場合には、前記ステップＳ３で制御部２２内のＲＡＭに保存されたパラメータを撮影条件として本撮影処理が実行されることとなる。したがって、この場合、保存メモリ２８に記録された撮影画像データにあっては、撮影条件がフルオート設定されたものである。したがって、ユーザはシーンアイコン２６２にタッチして移動させることなくシャッターキーを全押し操作することにより、フルオート撮影を行うこともできる。
【手続補正２９】
【補正対象書類名】明細書
【補正対象項目名】００６４
【補正方法】変更
【補正の内容】
【００６４】
また、本実施の形態では、この発明をデジタルカメラに適用した場合を例にして説明しているが、デジタルカメラばかりでなく、光学系及び撮像素子を介して取り込んだ画像データを記録する機能を備えた装置、例えば、カメラ付携帯電話や撮像機能を備えた電子機器にも適用することができる。